(57)【特許請求の範囲】
【請求項１】
略水平な使用状態から略垂直に起立されて上面開口した収納部に収納されるテーブルと、
前記収納部内に配され前記テーブルとともに上下昇降する昇降機構と、を備え、
前記昇降機構は、
前記収納部内の左右両側に対向して設けられた縦方向のスライドレールに案内されて昇降する縦部材と、
左右の前記縦部材を連結する横部材と、
前記横部材に設けられたピニオンと、
前記ピニオンに噛み合って案内することで、前記昇降機構の昇降を減速させるラックと、
前記横部材に沿って移動可能であり、かつ当該移動に伴い漸次付勢力が増大するように付勢部材に連繋した付勢ローラと、
前記昇降機構の昇降に伴い、前記付勢ローラに連係されて、付勢力が増大する方向に案内して付勢ローラを移動させるガイドレールと、を備えていることを特徴とする、テーブル収納装置。
【請求項２】
前記ガイドレールが前記付勢ローラの移動を案内するように傾斜させて設けられたガイドレールである請求項１に記載のテーブル収納装置。
【請求項３】
前記付勢ローラを複数有するものとして、横部材に沿って互いに近接もしくは離間方向に移動させるのに伴い、前記付勢部材の付勢力を漸次増大させるようにするとともに、前記ガイドレールが、前記付勢ローラの近接もしくは離間方向の移動を案内するように、ハの字状もしくは逆ハの字状に傾斜させて複数設けられている請求項２に記載のテーブル収納装置。
【請求項４】
前記ラックが前記昇降機構の下降を減速させるものであり、これに切換えて昇降機構の上昇を減速させる第二のラックをさらに設けている請求項１乃至３に記載のテーブル収納装置。
【請求項５】
前記昇降機構の上昇を減速させる第二のピニオンをさらに設けている請求項１乃至３に記載のテーブル収納装置。
【発明の詳細な説明】
【技術分野】
【０００１】
本発明は、講義椅子や劇場椅子等の椅子の背面テーブルに関し、特に、テーブルの収納装置に関する。
【背景技術】
【０００２】
従来、講義椅子や劇場椅子等に用いられる椅子の背凭れの背面に設けられたテーブルが知られている。このようなテーブルは、椅子の背面に一体に取付けられた箱状の収納部に、テーブルの天板を上下昇降自在に収納し、テーブル使用時には、天板を上方に持ち上げた後、天板を使用者方に回動し略水平状態で使用する構成である。（例えば、特許文献１）
【０００３】
しかしながら、上記テーブルは、前席の背面に一体に形成されていることから、テーブル使用時に生じる振動が前席に伝わりやすいといった問題がある。特に、テーブル収納時において、テーブルが勢い良く収納されてしまうと、前席に大きな振動が生じてしまう恐れがある。また、天板の重量が重いテーブルの場合、収納時の振動のみならず、天板の引き上げ時に大きな力がいるため、テーブルを引き出しづらいといった問題があった。
【０００４】
さらには、収納状態のテーブルを引き出してテーブルを使用する際に、収納部から天板を垂直状態まで引き出した後、天板を水平状態まで回動させるが、このとき、天板が勢いよく回動してしまうと、上記同様、前席に大きな振動が生じてしまう恐れがある。
【０００５】
【特許文献１】特許第３４５９２１９号公報
【発明の概要】
【発明が解決しようとする課題】
【０００６】
本発明は、収納部に収納されるテーブルの収納装置に関し、特に、天板の収納時において、天板の下降速度を緩やかにし、振動や騒音を発することなくスムースに収納可能なテーブルを提供することを課題とする。また、天板の下降速度を緩和するのみならず、天板の引き上げ時にも、軽い力で天板を持ち上げることが可能なテーブル収納装置を提供することを課題とする。さらには、天板の回動時における天板の下降速度を緩やかにして、振動や騒音を発することなく安全かつスムースに使用可能なテーブルを提供することを課題とする。
【課題を解決するための手段】
【０００７】
上記課題を解決すべく、本発明の請求項１に記載の発明は、略水平な使用状態から略垂直に起立されて上面開口した収納部に収納されるテーブルと、前記収納部内に配され前記テーブルとともに上下昇降する昇降機構と、を備え、前記昇降機構は、前記収納部内の左右両側に対向して設けられた縦方向のスライドレールに案内されて昇降する縦部材と、左右の前記縦部材を連結する横部材と、前記横部材に設けられたピニオンと、前記ピニオンに噛み合って案内することで、前記昇降機構の昇降を減速させるラックと、前記横部材に沿って移動可能であり、かつ当該移動に伴い漸次付勢力が増大するように付勢部材に連繋した付勢ローラと、前記昇降機構の昇降に伴い、前記付勢ローラに連係されて、付勢力が増大する方向に案内して付勢ローラを移動させるガイドレールと、を備えていることを特徴とする、テーブル収納装置である。
【０００８】
当該構成によれば、テーブルの昇降部材に設けられたピニオンを、天板の下降に伴い収納部に設けられたラックに沿って走行しつつ回動抵抗を付与するように構成することで、テーブルの下降速度を徐々に緩和することが可能である。よって、天板収納時の振動や騒音を抑え、安全かつスムースにテーブルを収納することが可能である。
また、昇降部材の横部材に付勢力をもって設けられた付勢ローラを、収納部に設けられたガイドレールに対して、前記付勢ローラの付勢力が前記テーブルの下降に伴い漸次増大するように連係させることにより、付勢ローラがガイドレールを押圧し、テーブルの下降に伴い上向きの補助力が生じ、テーブルの下降速度を徐々に緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【０００９】
また、請求項２に記載の発明は、前記ガイドレールが前記付勢ローラの移動を案内するように傾斜させて設けられたガイドレールである請求項１に記載のテーブル収納装置である。
【００１０】
当該構成によれば、例えば、昇降部材の横部材に付勢力をもって設けられた付勢ローラを、収納部に設けられた斜めに傾斜するガイドレールに対して連係させる簡単な構成により、前記付勢ローラの付勢力が前記テーブルの下降に伴い漸次増大することが可能であり、天板の下降に伴い前記付勢ローラがガイドレールを押圧するとともに上向きの補助力が生じ、テーブルの下降速度を徐々に緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【００１１】
また、請求項３に記載の発明は、前記付勢ローラを複数有するものとして、横部材に沿って互いに近接もしくは離間方向に移動させるのに伴い、前記付勢部材の付勢力を漸次増大させるようにするとともに、前記ガイドレールが、前記付勢ローラの近接もしくは離間方向の移動を案内するように、ハの字状もしくは逆ハの字状に傾斜させて複数設けられている請求項２に記載のテーブル収納装置である。
【００１２】
当該構成によれば、昇降部材の横部材に、付勢力をもって互いに近接するように設けられた複数の付勢ローラを、収納部に設けられた略ハの字状のガイドレールに対して、前記付勢ローラの付勢力が前記テーブルの下降に伴い漸次増大するように連係させることにより、付勢ローラがガイドレールを押圧し、テーブルの下降に伴い上向きの補助力が生じ、テーブルの下降速度を徐々に緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【００１３】
例えば、横部材に移動自在に２の付勢ローラを形成し、かつ収縮力を有するバネの両端に付勢ローラをそれぞれ連結し、ハの字状のガイドレールのそれぞれ外方に、左右の付勢ローラを挟み込むように連係させることで、天板の下降に伴い左右の付勢ローラが離間するため、バネが伸びるとともにガイドレールに対する付勢ローラの押圧力が増大し、テーブルの下降速度を確実に緩和することが可能である。特に、左右一対のガイドレールを用いることで、左右均一に押圧力を生じさせることが可能であり、安定してテーブルの下降速度を緩和する効果があるとともに、天板の持ち上げ時に、より軽い力で天板を持ち上げることが可能である。
【００１４】
また、当該構成によれば、天板の引き出し時において、天板の起立状態から水平状態へと天板を回動させる際に、昇降部材の横部材に、付勢力をもって互いに近接するように設けられた複数の付勢ローラを、収納部に設けられた略逆ハの字状のガイドレールに対して、前記付勢ローラの付勢力が前記テーブルの上昇に伴い漸次増大するように連係させることにより、下向きの補助力が生じ、天板回動時の天板の下降速度を緩和することが可能である。よって、天板収納時のみならず、天板引き出し時の回動速度を緩和して、安全にテーブルを回動させることが可能である。さらには、テーブルの使用状態から収納する際に、テーブルに下向きの補助力が生じているため、軽い力で天板を回動させることが可能である。
【００１５】
また、請求項４に記載の発明は、前記ラックが前記昇降機構の下降を減速させるものであり、これに切換えて昇降機構の上昇を減速させる第二のラックをさらに設けている請求項１乃至３に記載のテーブル収納装置である。
【００１６】
当該構成によれば、天板の起立状態から水平状態へと天板を回動させる際に、前記ラックと左右対称の第二ラックをピニオンが走行することで、ピニオンによる抵抗方向が逆転し、上向きに走行する際に回動抵抗を奏することとなり、天板回動時における天板の下降速度を緩和することが可能である。よって、天板収納時のみならず、天板引き出し時の回動速度を緩和して、安全にテーブルを回動させることが可能である。また、収納部内から引き出されたテーブルが付勢部材に付勢されて急激に飛び出すことがないように減速させることができ、より安全性を高めることが可能である。
【００１７】
また、請求項５に記載の発明は、前記昇降機構の上昇を減速させる第二のピニオンをさらに設けている請求項１乃至３に記載のテーブル収納装置である。
【００１８】
当該構成によれば、天板の起立状態から水平状態へと天板を回動させる際に、前記ピニオンと逆方向に回動抵抗を奏する第二のピニオンを、前記ラックもしくは他のラックに連係させることで、天板収納時のピニオンの抵抗方向とは逆に、天板上昇時における回動抵抗が増すこととなり、天板回動時における天板の下降速度を緩和することが可能である。よって、天板収納時のみならず、天板引き出し時の回動速度を緩和して、安全にテーブルを回動させることが可能である。
【発明を実施するための形態】
【００１９】
本発明のテーブル収納装置１が用いられる好適な一例としては、図１に示すように、劇場や会議場などで好適に使用される椅子２の背凭れ２ａの背面に設けられたテーブル収納装置１が挙げられる。このような椅子２は、横方向に連結された複数の椅子２が、前後方向へと複数列にわたって配置されており、座面２ｂを上下に回動可能なそれぞれの椅子の背凭れ２ａの背面には、内部にテーブル３を有するテーブル収納装置１が形成されている。そして、該テーブル収納装置１のテーブル３を使用する際には、前方の椅子２のテーブル収納装置１のテーブル３を引き出して使用する構成である。
【００２０】
すなわち、個々の椅子２は、図２に示すように、背凭れ２ａの背面部分に箱状の収納部５を有し、該収納部５の内部に収納されたテーブル３の天板３（図中点線部分）を、該テーブル３の使用時において、天板の把手部Ｔを持ち天板３を上方に引き出した後、略水平方向に回動させることにより水平状態でテーブル３を使用する構成である。
【００２１】
一般にこのようなテーブル収納装置１は、前席の背凭れ２ａの背面に形成されていることから、テーブル使用時に生じる振動等が、前席に伝わりやすいといった欠点がある。特に、テーブル３の収納時において、天板３が収納部内２に勢い良く下降してしまうと、前席に大きな振動が生じてしまう恐れがある。これに対して、本発明のテーブル収納装置１は、後述する、テーブル３の収納時において、収納部内で天板３の下降速度を緩やかにすることで、天板収納時の振動や騒音を軽減する効果がある。さらには、天板の回動時における天板の下降速度を緩やかにして、振動や騒音を発することなく安全かつスムースに天板を回動することが可能である。
【００２２】
（実施例１）
以下に、本発明のテーブル収納装１の構成について詳述する。
まず、本発明のテーブル３は、図３に示すように、テーブル使用時において、天板３を垂直方向から水平方向へと回動して使用する構成であり（図中点線部分）、他方、テーブル収納時には、水平方向の天板３を垂直方向に起立させた後、図示しない収納部の上方開口から収納部の内部へと下降させて収納する構成である。
【００２３】
前記天板３は、天板３の下方に形成された左右の回動軸３３を支点に回動自在となっており、さらに、前記回動軸３３には、後述する収納部内を天板３とともに上下昇降する昇降機構としての昇降部材４が連結されている。
【００２４】
該昇降部材４は、前記左右の回動軸３３にそれぞれ軸支される長板状の縦部材３１と、該左右の縦部材３１を連結する断面コ字状の横方向のスライドレールからなる横部材３２とを有し、前記縦部材３１は、上下にそれぞれ昇降ローラ３４を有し、該昇降ローラ３４は、後述する収納部内に設けられた縦方向のスライドレール２２に沿って上下方向に昇降自在である。
【００２５】
前記横部材３２の略中央には、側面視コ字状のガイド３７が横部材の前方に突出して形成されており、該ガイド３７の表面には、一方向に回動抵抗を奏するピニオンＢが軸支されている。当該ピニオンＢは、後述する、収納部に形成されたラック２１に沿って上下方向に走行する構成であり、特に、天板の下降時において、ピニオンＢの回動抵抗によりピニオンＢの走行速度を緩和する効果がある。特に、ピニオンＢの表面には、凹凸歯が形成されており、当該凹凸歯が後述するラック２１の表面に形成された凹凸歯に連係しつつラック２１に沿って回動走行する構成である。
【００２６】
また、昇降部材４の前記横部材３２には、左右一対の付勢ローラＣが左右方向へと移動自在に形成されるとともに、左右の付勢ローラＣがバネ等の付勢部材Ａで連結されており、左右の付勢ローラＣが互いに近接する方向に付勢力を生じている。
【００２７】
すなわち、前記横部材３２のスライドレール３２に沿って移動自在な２のガイドローラ３５を１の走行板３６の裏面にそれぞれ軸支し、さらに走行板３６の表面に前記付勢ローラＣを軸支する。そして、左右の前記走行板３６を、収縮力を有する２つのバネＡにより連結することで、左右の付勢ローラＣが近接する方向に付勢力を奏する構成である。
【００２８】
他方、前記収納部５は、図４に示すように、上部に開口を有し、内部が空洞の箱状部材であって、当該収納部５の左右側面に対向して設けられた縦方向のスライドレール２２へと、前記昇降部材４の縦部材３１に軸支された上下の昇降ローラ３４が上下昇降自在に連係される構成である。
【００２９】
特に、前記収納部５の前面パネル（図中、点線部分）の裏面には、上方から下方にかけて、一側面に凹凸歯を有するラック２１が取付け部材２４を介して形成されており、前記昇降部材４の横部材３２に形成された回動抵抗を有するピニオンＢが、前記ラック２１に沿って上下昇降自在に連係されている。
【００３０】
さらには、前記ラック２１の左右に形成された、左右一対のガイドレール２３は、下方にかけてハの字状に広がり、かつ、上方にかけて逆ハの字状に広がる構成であり、前記昇降部材４の横部材３２に形成された左右の付勢ローラＣが、前記ガイドレール２３の外方にそれぞれ当接しつつガイドレール２３に沿って上下昇降自在に連係されている。
【００３１】
そして、テーブル３の天板３が水平方向の使用状態から天板３を収納する際には、まず、水平状態のテーブルの天板３を、回動軸３３を支点に上方へと回動して持ち上げるが、このとき、図５に示すように、天板３の上方への回動にともない、テーブル３の下方に連結された昇降部材４がわずかに下降するとともに、当該昇降部材４の横部材３２に左右方向へと移動自在かつ付勢部材Ａにより連結された左右の付勢ローラＣが、ガイドレール２３に沿って下方向へと走行することとなる。
【００３２】
特に、左右の付勢ローラＣがバネＡにより近接する方向に付勢されており、このため、左右の付勢ローラＣが、逆ハの字状のガイドレール２３’を略水平方向に押圧することとなり、前記昇降部材４に下方向への補助力が生じることとなる。
【００３３】
よって、天板３が上方向に回動する際に、昇降部材４に下向きの補助力が生じるため、昇降部材４が天板３を下方向へと引くこととなり、天板３が半自動的に起立するとともに軽い力で天板３を持ち上げることが可能である。
【００３４】
そして、天板３の起立状態では、図６に示すように、天板３と昇降部材４の縦部材３１とが略一直線に起立となり、収納部５の上部開口から天板３が下降を開始することとなる。このとき、昇降部材４の左右の付勢ローラＣは、ガイドレール２３のくびれ部分に位置しており、左右の付勢ローラＣが最も近接するとともに付勢部材Ａの伸びが最小となる。そして、さらなる天板３の下降に伴い、昇降部材４が下降するとともに、付勢ローラＣが再び離間を開始する構成である。
【００３５】
すなわち、天板３が起立した状態で下降を開始すると、図７に示すように、ガイドレール２３に連係する付勢ローラＣが、昇降部材４の横部材３２に沿って移動するとともに、左右の付勢ローラＣが互いに離間することとなる。
【００３６】
また、昇降部材４の横部材３２に形成されたピニオンＢが、収納部５のラック２１に沿って回動走行することとなる。このとき、前記ピニオンＢは、一方向（天板が下降する際にピニオンが走行する方向）に回動抵抗を有しており、すなわち、左方向の回転に対して、右回転の回動抵抗を奏するものである。
【００３７】
そして、前記ピニオンＢがラック２１に沿って回動走行しつつ、回動抵抗を奏することで天板の下降速度を緩和するとともに、前記左右の付勢ローラＣが、互いに離間することで、付勢ローラＣを連結するバネＡが延伸するとともに、斜めに傾斜するガイドレール２３を横方向から押圧することで上向きの補助力を生じることとなり、前記ピニオンＢによる回動抵抗とともに、天板３の下降速度を緩和することが可能である。
【００３８】
すなわち、図８に示すように、横部材３２に沿って移動自在な左右の付勢ローラＣが、バネＡにより連結されており、左右の付勢ローラＣが近接する方向に付勢力Ｆ３を生じている。そして、左右の付勢ローラＣが、ガイドレール２３に対して横方向の押圧力Ｆ３を生じることにより、上向きの補助力Ｆ２が生じる構成である。
【００３９】
このように、本発明のテーブル収納装置１は、テーブル３の昇降部材に設けられた少なくとも一方向に回動抵抗を有するピニオンＢを、天板３の下降に伴い収納部５に設けられたラック２１に沿って走行しつつ回動抵抗を付与するように構成することで、テーブル３の下降速度を徐々に緩和することが可能である。よって、天板収納時の振動や騒音を抑え、安全かつスムースにテーブル３を収納することが可能である。
【００４０】
また、昇降部材４の横部材３２に付勢力をもって設けられた付勢ローラＣを、収納部５に設けられたガイドレール２３に対して、前記付勢ローラＣの付勢力が前記テーブル３の下降に伴い漸次増大するように連係させることにより、付勢ローラＣがガイドレール２３を押圧し、テーブル３の下降に伴い上向きの補助力が生じ、テーブル３の下降速度を徐々に緩和することが可能である。よって、天板収納時の振動や騒音を抑え、安全かつスムースにテーブル３を収納することが可能である。
【００４１】
さらに、本発明のテーブル収納装置１は、天板３の収納状態から、天板３を引き出す際に、テーブル３に上向きの補助力が生じているため、軽い力で天板を持ち上げることが可能である。すなわち、天板３の収納状態では、図９に示すように、付勢ローラＣの離間が最大であり、付勢ローラＣ間を連結するバネ力が最大である。よって、天板３に働く上方向への補助力が最大の状態であり、天板３を持ち上げる際に上向きの補助力が作用しているため、天板３を軽い力で持ち上げることが可能である。また、天板３の上昇に伴い、ピニオンＢがラック２１に沿って回動走行しつつ、昇降部材４とともに上昇する構成であるが、このときピニオンＢの回転方向は、天板３の下降時におけるピニオンＢの回転方向とは逆であり、ピニオンＢの回動抵抗が生じることなく、スムースに天板３を上昇させることが可能である。
【００４２】
また、本発明のテーブル収納装置１は、テーブル３の収納状態から、天板３を持ち上げた後、天板３の起立状態から水平状態へと天板３を回動させる際にも、略逆ハの字状のガイドレール２３’に対して、付勢ローラＣの付勢力が天板３の回動に伴い漸次増大するように連係されており、昇降部材４に下向きの補助力が生じるとともに天板回動時の天板３の下降速度を緩和することが可能である。よって、天板収納時のみならず、天板３引き出し時の回動速度を緩和して、より安全にテーブル３を水平状態へと回動させることが可能である。
【００４３】
（実施例２）
すなわち、本発明のテーブル収納装置１は、前記ピニオンＢの回動抵抗を利用して、天板回動時の回動速度を緩和することが可能である。
【００４４】
この場合の一例としては、図１０に示すように、前記ラック２１の上方に、前記ラック２１の凹凸歯と左右対称に形成される第二のラック２５を形成するとともに、天板回動時における天板３の下降時（すなわち、昇降部材４のさらなる上昇時）に、前記ピニオンＢを前記第二ラック２５に連係させることで、天板回動時における天板３の下降速度を緩和する構成が挙げられる。
【００４５】
まず、テーブル３の収納状態から、テーブル３を引き上げる際には、テーブル３の昇降部材４に形成された左右の付勢ローラＣを連結するバネＡの伸びが最大であり、付勢ローラＣがガイドレール２３を横方向に押圧する力が最大である。よって、ガイドレール２３に対する付勢ローラＣの付勢力により上向きの補助力が生じ、天板３を軽い力で持ち上げ始めることが可能である。
【００４６】
そして、図１１に示すように、天板３の上昇に伴い、左右の付勢ローラＣが近接しつつガイドレール２３を押圧するとともに、依然上向きの補助力を奏している。このとき、収納部中央のラック２１に沿って上昇走行するピニオンＢは、前記ラック２１に対して回動抵抗を付与することなく、単にラック２１に沿って回動走行するのみである。
【００４７】
そして、図１２に示すように、天板３の起立状態から回動状態に移行する直前において、前記付勢ローラＣは、ガイドレール２３のくぼみ部分に位置しており、天板３の回動に伴い、付勢ローラＣが連係するガイドレール２３の形状がハの字から逆ハの字２３’へと切り替わることとなる。さらに、前記ピニオンＢは、ラック２１の上端を通り過ぎており、天板３の回動に伴い、ピニオンＢが走行するラック２１が、該ラック２１と左右対称に設けられた第二のラック２５へと切り替わることとなる。
【００４８】
すなわち、図１３に示すように、天板回動時の直前において、昇降部材４に設けられた左右の付勢ローラＣが最も近接するが、天板３の回動に伴い、逆ハの字状のガイドレール２５に沿って再び離間する方向へと上昇することとなる。また、昇降部材４に設けられた回動抵抗を有するピニオンＢが、天板３の回動に伴い、さらに上昇するとともに第二のラック２５に沿って走行することとなる。このとき、第二ラック２５の凹凸歯は、前記ラック２１の凹凸歯と左右対称に反転しており、第二ラック２５に沿ってピニオンＢが走行するときに、ピニオンＢの回転方向が逆回転となるため、再び、回動抵抗を奏する構成である。
【００４９】
よって、図１４に示すように、天板３の下降回動に伴い、昇降部材４がさらに上昇するとともに、左右の付勢ローラＣが逆ハの字状のガイドレール２５に沿って上方へと走行するため、再び付勢ローラＣが互いに離間を開始して、付勢ローラＣを連結するバネＡの付勢力が生じ下方向の補助力を生じることとなる。さらには、ピニオンＢが、第二ラック２５を走行しつつ上昇するため回動抵抗を生じることとなり、よって、図１５に示すように、付勢ローラＣおよびピニオンＢの作用により天板３の回動速度を緩和することが可能であり、安全かつスムースにテーブル３を回動させることが可能である。
【００５０】
このように、本発明のテーブル収納装置１は、天板３の回動時に、左右の付勢ローラＣが逆ハの字状のガイドレール２５を走行することで、下向きの補助力を生じるとともに、前記ピニオンＢが、第二のラック２５を走行することで、ピニオンＢの回動抵抗を付与して、天板３の垂直状態から水平状態へと移行する際の回動速度を緩和することが可能である。すなわち、天板３の引き出し時において、天板３の起立状態から水平状態へと天板３を回動させる際に、前記ラック２１と左右対称の第二ラック２５にピニオンＢを連係させることで、ピニオンＢが逆回転し上向きに走行する際にも回動抵抗を奏することとなり、天板回動時における天板３の下降速度を緩和することが可能である。
よって、天板収納時のみならず、天板引き出し時の回動速度を緩和して、安全にテーブル３を回動させることが可能である。
【００５１】
また、上記構成のみならず、例えば、前記ピニオンＢとは逆方向に回動抵抗を有する第二ピニオンＢ’を前記横部材３２に形成するとともに、天板回動時における天板３の下降時に、前記第二ピニオンＢ’を前記ラック２１に連係させることで、天板回動時における天板３の下降速度を緩和する構成であってもよく、例えば、天板３の引き出し時において、天板３の起立状態から水平状態へと天板３を回動させる際に、前記ピニオンＢと逆方向に回動抵抗を奏するピニオンＢ’を、前記ラック２１もしくは他に形成した別のラック２１’に連係させることで、天板上昇時における回動抵抗を付与することが可能であり、天板回動時における天板３の下降速度を緩和することが可能である。
【００５２】
何れにせよ、本発明のテーブル収納装置１は、天板３の下降時において、ピニオンＢがラック２１を走行するとともに、ピニオンＢの回動抵抗により天板３の下降速度を緩和する構成、および天板３の回動時に、ピニオンＢの回動抵抗により天板３の回動速度を緩和する構成であればよく、また、横部材３２に移動自在に形成され、かつ、横部材の方向に付勢力を生じる付勢ローラＣがガイドレール２３の傾斜に沿って下降し、他方、天板３の上昇時において、付勢ローラＣがガイドレール２３の傾斜に沿って登る構成であって、特に、天板３の下降に伴い、付勢部材Ａの付勢力が付勢ローラＣを介してガイドレール２３を押圧して、天板３に上方向への補助力を生じる構成、および天板３の回動に伴い、付勢部材Ａの付勢力が付勢ローラＣを介してガイドレール２３’を押圧して、天板３に下方向への補助力を生じる構成であればよく、ガイドレール２３、２３’の配置や形状、さらには、各ローラＣを付勢する方向や部材など、上記効果を奏するものであれば適宜採用することが可能である。
【００５３】
また、前記付勢部材Ａは、収縮力を有するバネに限らず、例えば、延伸力を有するダンパ等であってもよく、ダンパＡに付勢ローラＣを備え、該付勢ローラＣをガイドレール２３に連係させることで、テーブル３の下降に伴い、ダンパＡの延伸力による付勢ローラＣがガイドレール２３を押圧する構成により、テーブル３に上向きまたは下向きの補助力を生じさせる構成であってもよい。特に、ガイドレール２３の傾斜角度を適宜変更することにより、ガイドレール２３に対する付勢ローラＣの押圧力（すなわち、付勢部材Ａの付勢力）が調整可能であり、昇降機構４の減速速度を適宜調整することが可能である。
【００５４】
上記例では、前記ガイドレール２３が長尺状の部材を用いているが、これに限らず、収納部５の内側壁に、溝条や凸条などのガイドレール２３を直接設けても良い。さらに、収納部５の前方パネルの裏面に前記ガイドレール等を設ける方法に限らず、収納部５の裏面パネルにこれらを設ける構成であってもよい。
【００５５】
また、本発明のテーブル収納装置１は上述した椅子２に限らず、壁面やパネルに形成してもよく、例えば、最前列の席の場合、図１６に示すように、最前席の正面にパネル６を形成し、該パネル６に本発明のテーブル３を収納した収納部５を取付ける構成であってもよい。さらには、椅子２の肘掛けに設けることも可能であり、通常の使用形態において形成し得るいかなる方法をも採用することが可能である。
【図面の簡単な説明】
【００５６】
【図１】本発明のテーブル収納装置の使用状態の一例を示す略正面斜視図である。
【図２】本発明のテーブル収納装置の使用状態の一例を示す略背面斜視図である。
【図３】テーブルと昇降機構とを示す説明図である。
【図４】テーブルの収納回動時を示す説明図である。
【図５】テーブルの収納回動時を示す説明図である。
【図６】テーブルの収納時を示す説明図である。
【図７】テーブルの収納時を示す説明図である。
【図８】テーブルの収納時を示す説明図である。
【図９】テーブルの収納状態を示す説明図である。
【図１０】テーブルの収納状態を示す説明図である。
【図１１】テーブルの上昇時を示す説明図である。
【図１２】テーブルの上昇時を示す説明図である。
【図１３】テーブルの上昇時を示す説明図である。
【図１４】テーブルの回動時を示す説明図である。
【図１５】テーブルの回動時を示す説明図である。
【図１６】本発明のテーブル収納装置の使用状態の一例を示す斜視図である。
【符号の説明】
【００５７】
１  テーブル収納装置
２  椅子
３  天板（テーブル）
４  昇降機構（昇降部材）
５  収納部
６  パネル
Ａ  付勢部材（バネ）
Ｂ  ピニオン
Ｃ  付勢ローラ
２１  ラック
２３  ガイドレール（ハの字）
２３’  ガイドレール（逆ハの字）
２５  第二ラック
３１  縦部材
３２  横部材（スライドレール）
２２  スライドレール
３４  昇降ローラ
３５  ガイドローラ
３６  走行板
【図１】
0005645523.tif 000002
【図２】
0005645523.tif 000003
【図３】
0005645523.tif 000004
【図４】
0005645523.tif 000005
【図５】
0005645523.tif 000006
【図６】
0005645523.tif 000007
【図７】
0005645523.tif 000008
【図８】
0005645523.tif 000009
【図９】
0005645523.tif 000010
【図１０】
0005645523.tif 000011
【図１１】
0005645523.tif 000012
【図１２】
0005645523.tif 000013
【図１３】
0005645523.tif 000014
【図１４】
0005645523.tif 000015
【図１５】
0005645523.tif 000016
【図１６】
0005645523.tif 000017